【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
ロングタームエボリューション（ＬＴＥ）ワイヤレス通信ネットワーク内のユーザ機器（ＵＥ）による論理チャネル優先順位付けのための方法であって、
時間期間の間に前記ＵＥにおいてアップリンクリソースの割当てを受信することと、
前記ＵＥが前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を備える、方法。
【請求項２】
前記第１の論理チャネルに前記アップリンクリソースの少なくとも一部分を割り当てることが、前記時間期間の間にＱｏＳ義務の前記識別がない場合に、送信されるべき制御データの前記識別があるとき、前記第１の論理チャネルに前記アップリンクリソースの少なくとも一部分を割り当てることを含む、請求項１に記載の方法。
【請求項３】
前記時間期間の間に第２の論理チャネルに前記アップリンクリソースの少なくとも一部分を割り当てる第２のＱｏＳ義務を前記ＵＥが有するかどうかを識別することと、前記第２の論理チャネルが、前記第１の論理チャネルよりも低い優先順位を有する、
前記ＵＥから送信されるべきである任意の制御データを前記第２の論理チャネルが有するかどうかを識別することと、
前記第２の論理チャネルにアップリンクリソースを割り当てる前記第２のＱｏＳ義務を前記ＵＥが有するとき、および前記時間期間の間に前記第１の論理チャネルに前記アップリンクリソースの少なくとも一部分を割り当てるＱｏＳ義務の前記識別がない場合に、送信されるべき制御データの前記識別があるとき、前記第１の論理チャネルに前記アップリンクリソースの少なくとも一部分を割り当てることと
をさらに備える、請求項２に記載の方法。
【請求項４】
前記第１の論理チャネルに前記アップリンクリソースの少なくとも一部分を割り当てることが、前記時間期間の間に前記第２の論理チャネルへのアップリンクリソースの任意の割当てより先に実行される、請求項３に記載の方法。
【請求項５】
前記第１の論理チャネルが、前記第２の論理チャネルの優先データレートよりも大きい優先データレートを有する、請求項３に記載の方法。
【請求項６】
前記第１の論理チャネルに前記アップリンクリソースを割り当てるＱｏＳ義務を前記ＵＥが有するかどうかを識別することが、前記第１の論理チャネルに関係する前記ＱｏＳ義務が満たされたことを識別する前記第１の論理チャネルのために確立された変数のステータスに基づく、請求項１に記載の方法。
【請求項７】
前記変数が、前記第１の論理チャネルの優先ビットレート（ＰＢＲ）と前記時間期間に関連する伝送時間間隔（ＴＴＩ）とに基づく、請求項６に記載の方法。
【請求項８】
前記第１の論理チャネルが送信されるべき制御データを有することと、前記時間期間の間に前記第１の論理チャネルに前記アップリンクリソースの少なくとも一部分を割り当てる前記ＱｏＳ義務があることとを識別することと、
前記第１の論理チャネルに前記アップリンクリソースの少なくとも一部分を割り当てることと、
第１の論理チャネルユーザデータと前記第１の論理チャネル制御データとを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
をさらに備える、請求項１に記載の方法。
【請求項９】
前記時間期間の間に前記第１の論理チャネルにアップリンクリソースを割り当てるＱｏＳ義務なしに送信されるべき制御データを前記第１の論理チャネルが有することを識別することと、
前記第１の論理チャネルに前記アップリンクリソースの少なくとも一部分を割り当てることと、
前記第１の論理チャネル制御データを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
をさらに備える、請求項２に記載の方法。
【請求項１０】
前記制御データが、拡張ノードＢ（ｅＮＢ）から受信したデータに対応する無線リンク制御（ＲＬＣ）データを備える、請求項１に記載の方法。
【請求項１１】
前記時間期間の間に前記第１の論理チャネルに前記アップリンクリソースの少なくとも一部分を割り当てるＱｏＳ義務を前記ＵＥが有するかどうかを識別することが、前記第１の論理チャネルの優先ビットレート（ＰＢＲ）値が、シグナリング無線ベアラＳＲＢ１に対応するのか、またはシグナリング無線ベアラＳＲＢ２に対応するのかに基づく、請求項１に記載の方法。
【請求項１２】
前記第１の論理チャネルに前記アップリンクリソースの少なくとも一部分を割り当てることが、前記制御データを送信するために前記第１の論理チャネルに十分なアップリンクリソースを割り当てることを含む、請求項１に記載の方法。
【請求項１３】
ロングタームエボリューション（ＬＴＥ）ワイヤレス通信ネットワーク内のユーザ機器（ＵＥ）によるワイヤレス通信のための装置であって、
時間期間の間に前記ＵＥにおいてアップリンクリソースの割当てを受信することと、
前記ＵＥが前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を行うように構成された少なくとも１つのプロセッサと、
前記少なくとも１つのプロセッサに結合されたメモリと
を備える、装置。
【請求項１４】
前記少なくとも１つのプロセッサが、前記時間期間の間にＱｏＳ義務の前記識別なしに、送信されるべき制御データの前記識別があるとき、前記第１の論理チャネルに前記アップリンクリソースの少なくとも一部分を割り当てるようにさらに構成された、請求項１３に記載の装置。
【請求項１５】
前記少なくとも１つのプロセッサが、
前記時間期間の間に第２の論理チャネルに前記アップリンクリソースの少なくとも一部分を割り当てる第２のＱｏＳ義務を前記ＵＥが有するかどうかを識別することと、前記第２の論理チャネルが、前記第１の論理チャネルよりも低い優先順位を有する、
前記ＵＥから送信されるべきである任意の制御データを前記第２の論理チャネルが有するかどうかを識別することと、
前記第２の論理チャネルにアップリンクリソースを割り当てる前記第２のＱｏＳ義務を前記ＵＥが有するとき、および前記時間期間の間に前記第１の論理チャネルに前記アップリンクリソースの少なくとも一部分を割り当てるＱｏＳ義務の前記識別なしに、送信されるべき制御データの前記識別があるとき、前記第１の論理チャネルに前記アップリンクリソースの少なくとも一部分を割り当てることと
を行うようにさらに構成された、請求項１４に記載の装置。
【請求項１６】
前記少なくとも１つのプロセッサが、前記時間期間の間に前記第２の論理チャネルへのアップリンクリソースの任意の割当てより先に前記第１の論理チャネルに前記アップリンクリソースの少なくとも一部分を割り当てるようにさらに構成された、請求項１５に記載の装置。
【請求項１７】
前記第１の論理チャネルが、前記第２の論理チャネルの優先データレートよりも大きい優先データレートを有する、請求項１５に記載の装置。
【請求項１８】
前記少なくとも１つのプロセッサが、前記第１の論理チャネルに関係する前記ＱｏＳ義務が満たされたことを識別する前記第１の論理チャネルのために確立された変数のステータスに基づいて、前記第１の論理チャネルに前記アップリンクリソースを割り当てるＱｏＳ義務を前記ＵＥが有するかどうかを識別するようにさらに構成された、請求項１３に記載の装置。
【請求項１９】
前記変数が、前記第１の論理チャネルの優先ビットレート（ＰＢＲ）と前記時間期間に関連する伝送時間間隔（ＴＴＩ）とに基づく、請求項１８に記載の装置。
【請求項２０】
前記少なくとも１つのプロセッサが、
前記第１の論理チャネルが送信されるべき制御データを有することと、前記時間期間の間に前記第１の論理チャネルに前記アップリンクリソースの少なくとも一部分を割り当てる前記ＱｏＳ義務があることとを識別することと、
前記第１の論理チャネルに前記アップリンクリソースの少なくとも一部分を割り当てることと、
第１の論理チャネルユーザデータと前記第１の論理チャネル制御データとを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
を行うようにさらに構成された、請求項１３に記載の装置。
【請求項２１】
前記少なくとも１つのプロセッサが、
前記時間期間の間に前記第１の論理チャネルにアップリンクリソースを割り当てるＱｏＳ義務なしに送信されるべき制御データを前記第１の論理チャネルが有することを識別することと、
前記第１の論理チャネルに前記アップリンクリソースの少なくとも一部分を割り当てることと、
前記第１の論理チャネル制御データを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
を行うようにさらに構成された、請求項１４に記載の装置。
【請求項２２】
前記制御データが、拡張ノードＢ（ｅＮＢ）から受信したデータに対応する無線リンク制御（ＲＬＣ）データを備える、請求項１３に記載の装置。
【請求項２３】
ロングタームエボリューション（ＬＴＥ）ワイヤレス通信ネットワーク内のユーザ機器（ＵＥ）による論理チャネル優先順位付けのための装置であって、
時間期間の間に前記ＵＥにおいてアップリンクリソースの割当てを受信するための手段と、
前記ＵＥが、前記時間期間の間に第１の論理チャネルに前記アップリンクリソースの少なくとも一部分を割り当てるサービス品質（ＱｏＳ）義務を有するかどうかを識別するための手段と、
前記第１の論理チャネルが、前記時間期間の間に、前記ＵＥから送信されるべき制御データを有するかどうかを識別するための手段と、
前記ＵＥが、前記時間期間の間に前記第１の論理チャネルに前記アップリンクリソースの少なくとも一部分を割り当てるＱｏＳ義務を有するかどうか、または
前記第１の論理チャネルが、前記ＵＥから送信されるべき制御データを有するかどうか
のうちの少なくとも１つに基づいて、前記第１の論理チャネルに前記アップリンクリソースの少なくとも一部分を割り当てるための手段と
を備える、装置。
【請求項２４】
前記第１の論理チャネルに前記アップリンクリソースの少なくとも一部分を割り当てるための前記手段が、前記時間期間の間にＱｏＳ義務の前記識別なしに、送信されるべき制御データの前記識別があるとき、前記第１の論理チャネルに前記アップリンクリソースの少なくとも一部分を割り当てるための手段を含む、請求項２３に記載の装置。
【請求項２５】
前記第１の論理チャネルに前記アップリンクリソースを割り当てるＱｏＳ義務を前記ＵＥが有するかどうかを識別するための前記手段が、前記第１の論理チャネルに関係する前記ＱｏＳ義務が満たされたことを識別する前記第１の論理チャネルのために確立された変数のステータスに基づいて識別する、請求項２３に記載の装置。
【請求項２６】
前記変数が、前記第１の論理チャネルの優先ビットレート（ＰＢＲ）と、前記時間期間に関連する伝送時間間隔（ＴＴＩ）とに基づく、請求項２５に記載の装置。
【請求項２７】
前記第１の論理チャネルが送信されるべき制御データを有することと、前記時間期間の間に前記第１の論理チャネルに前記アップリンクリソースの少なくとも一部分を割り当てる前記ＱｏＳ義務があることとを識別するための手段と、
前記第１の論理チャネルに前記アップリンクリソースの少なくとも一部分を割り当てるための手段と、
第１の論理チャネルユーザデータと前記第１の論理チャネル制御データとを含む少なくとも１つのプロトコルデータユニット（ＰＤＵ）を形成するための手段と、
前記時間期間中に前記第１の論理チャネルに割り当てられた前記アップリンクリソースを使用して前記少なくとも１つのＰＤＵを送信するための手段と
をさらに備える、請求項２３に記載の装置。
【請求項２８】
前記時間期間の間に前記第１の論理チャネルにアップリンクリソースを割り当てるＱｏＳ義務なしに、前記第１の論理チャネルが送信されるべき制御データを有することを識別するための手段と、
前記第１の論理チャネルに前記アップリンクリソースの少なくとも一部分を割り当てるための手段と、
前記第１の論理チャネル制御データを含む少なくとも１つのプロトコルデータユニット（ＰＤＵ）を形成するための手段と、
前記時間期間中に前記第１の論理チャネルに割り当てられた前記アップリンクリソースを使用して前記少なくとも１つのＰＤＵを送信するための手段と
をさらに備える、請求項２４に記載の装置。
【請求項２９】
ロングタームエボリューション（ＬＴＥ）ワイヤレス通信ネットワーク内のユーザ機器（ＵＥ）によるワイヤレス通信のための非一時的なコンピュータ可読媒体であって、
時間期間の間に前記ＵＥにおいてアップリンクリソースの割当てを受信することと、
前記ＵＥが、前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが、前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を行うための１つまたは複数のプロセッサによって実行可能な１つまたは複数の命令で符号化される、非一時的なコンピュータ可読媒体。
【請求項３０】
前記第１の論理チャネルに前記アップリンクリソースの少なくとも一部分を割り当てるための前記１つまたは複数の命令が、前記時間期間の間にＱｏＳ義務の前記識別なしに、送信されるべき制御データの前記識別があるとき、前記第１の論理チャネルに前記アップリンクリソースの少なくとも一部分を割り当てるための１つまたは複数の命令を含む、請求項２９に記載の非一時的なコンピュータ可読媒体。
【手続補正２】
【補正対象書類名】明細書
【補正対象項目名】００６９
【補正方法】変更
【補正の内容】
【００６９】
[0076]  本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を示唆せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
ロングタームエボリューション（ＬＴＥ）ワイヤレス通信ネットワーク内のユーザ機器（ＵＥ）による論理チャネル優先順位付けのための方法であって、
時間期間の間に前記ＵＥにおいてアップリンクリソースの割当てを受信することと、
前記ＵＥが前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を備える、方法。
［Ｃ２］
前記第１の論理チャネルに前記アップリンクリソースの少なくとも一部分を割り当てることが、前記時間期間の間に前記ＱｏＳ義務の前記識別がない場合に、送信されるべき制御データの前記識別があるとき、前記第１の論理チャネルに前記アップリンクリソースの少なくとも一部分を割り当てることを含む、Ｃ１に記載の方法。
［Ｃ３］
前記時間期間の間に第２の論理チャネルに前記アップリンクリソースの少なくとも一部分を割り当てる第２のＱｏＳ義務を前記ＵＥが有するかどうかを識別することと、前記第２の論理チャネルが、前記第１の論理チャネルよりも低い優先順位を有する、
前記ＵＥから送信されるべきである任意の制御データを前記第２の論理チャネルが有するかどうかを識別することと、
前記第２の論理チャネルにアップリンクリソースを割り当てる前記第２のＱｏＳ義務を前記ＵＥが有するとき、および前記時間期間の間に前記第１の論理チャネルに前記アップリンクリソースの少なくとも一部分を割り当てる前記ＱｏＳ義務の前記識別がない場合に、送信されるべき制御データの前記識別があるとき、前記第１の論理チャネルに前記アップリンクリソースの少なくとも一部分を割り当てることと
をさらに備える、Ｃ２に記載の方法。
［Ｃ４］
前記第１の論理チャネルに前記アップリンクリソースの少なくとも一部分を前記割り当てることが、前記時間期間の間に前記第２の論理チャネルへのアップリンクリソースの任意の割当てより先に実行される、Ｃ３に記載の方法。
［Ｃ５］
前記第１の論理チャネルが、前記第２の論理チャネルの優先データレートよりも大きい優先データレートを有する、Ｃ３に記載の方法。
［Ｃ６］
前記第１の論理チャネルに前記アップリンクリソースを割り当てるＱｏＳ義務を前記ＵＥが有するかどうかを前記識別することが、前記第１の論理チャネルに関係する前記ＱｏＳ義務が満たされたことを識別する前記第１の論理チャネルのために確立された変数のステータスに基づく、Ｃ１に記載の方法。
［Ｃ７］
前記変数が、前記第１の論理チャネルの優先ビットレート（ＰＢＲ）と前記時間期間に関連する伝送時間間隔（ＴＴＩ）とに基づく、Ｃ６に記載の方法。
［Ｃ８］
前記第１の論理チャネルが送信されるべき制御データを有することと、前記時間期間の間に前記第１の論理チャネルに前記アップリンクリソースの少なくとも一部分を割り当てるＱｏＳ義務があることとを識別することと、
前記第１の論理チャネルに前記アップリンクリソースの少なくとも一部分を割り当てることと、
第１の論理チャネルユーザデータと前記第１の論理チャネル制御データとを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
をさらに備える、Ｃ１に記載の方法。
［Ｃ９］
前記時間期間の間に前記第１の論理チャネルにアップリンクリソースを割り当てるＱｏＳ義務なしに送信されるべき制御データを前記第１の論理チャネルが有することを識別することと、
前記第１の論理チャネルに前記アップリンクリソースの少なくとも一部分を割り当てることと、
前記第１の論理チャネル制御データを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
をさらに備える、Ｃ２に記載の方法。
［Ｃ１０］
制御データが、ｅＮＢから受信したデータに対応する無線リンク制御（ＲＬＣ）データを備える、Ｃ１に記載の方法。
［Ｃ１１］
前記時間期間の間に第１の論理チャネルに前記アップリンクリソースの少なくとも一部分を割り当てるサービス品質（ＱｏＳ）義務を前記ＵＥが有するかどうかを識別することが、前記第１の論理チャネルの優先ビットレート（ＰＢＲ）値が、シグナリング無線ベアラＳＲＢ１に対応するのか、またはシグナリング無線ベアラＳＲＢ２に対応するのかに基づく、Ｃ１に記載の方法。
［Ｃ１２］
前記第１の論理チャネルに前記アップリンクリソースの少なくとも一部分を割り当てることが、前記制御データを送信するために前記第１の論理チャネルに十分なアップリンクリソースを割り当てることを含む、Ｃ１に記載の方法。
［Ｃ１３］
ロングタームエボリューション（ＬＴＥ）ワイヤレス通信ネットワーク内のユーザ機器（ＵＥ）によるワイヤレス通信のための装置であって、
時間期間の間に前記ＵＥにおいてアップリンクリソースの割当てを受信することと、
前記ＵＥが前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を行うように構成された少なくとも１つのプロセッサと、
前記少なくとも１つのプロセッサに結合されたメモリと
を備える、装置。
［Ｃ１４］
前記少なくとも１つのプロセッサが、前記時間期間の間にＱｏＳ義務の前記識別なしに、送信されるべき制御データの前記識別があるとき、前記第１の論理チャネルに前記アップリンクリソースの少なくとも一部分を割り当てるようにさらに構成された、Ｃ１３に記載の装置。
［Ｃ１５］
前記少なくとも１つのプロセッサが、
前記時間期間の間に第２の論理チャネルに前記アップリンクリソースの少なくとも一部分を割り当てる第２のＱｏＳ義務を前記ＵＥが有するかどうかを識別することと、前記第２の論理チャネルが、前記第１の論理チャネルよりも低い優先順位を有する、
前記ＵＥから送信されるべきである任意の制御データを前記第２の論理チャネルが有するかどうかを識別することと、
前記第２の論理チャネルにアップリンクリソースを割り当てる前記第２のＱｏＳ義務を前記ＵＥが有するとき、および前記時間期間の間に前記第１の論理チャネルに前記アップリンクリソースの少なくとも一部分を割り当てる前記ＱｏＳ義務の前記識別なしに、送信されるべき制御データの前記識別があるとき、前記第１の論理チャネルに前記アップリンクリソースの少なくとも一部分を割り当てることと
を行うようにさらに構成された、Ｃ１４に記載の装置。
［Ｃ１６］
前記少なくとも１つのプロセッサが、前記時間期間の間に前記第２の論理チャネルへのアップリンクリソースの任意の割当てより先に前記第１の論理チャネルに前記アップリンクリソースの少なくとも一部分を割り当てるようにさらに構成された、Ｃ１５に記載の装置。
［Ｃ１７］
前記第１の論理チャネルが、前記第２の論理チャネルの優先データレートよりも大きい優先データレートを有する、Ｃ１５に記載の装置。
［Ｃ１８］
前記少なくとも１つのプロセッサが、前記第１の論理チャネルに関係する前記ＱｏＳ義務が満たされたことを識別する前記第１の論理チャネルのために確立された変数のステータスに基づいて、前記第１の論理チャネルに前記アップリンクリソースを割り当てるＱｏＳ義務を前記ＵＥが有するかどうかを識別するようにさらに構成された、Ｃ１３に記載の装置。
［Ｃ１９］
前記変数が、前記第１の論理チャネルの優先ビットレート（ＰＢＲ）と前記時間期間に関連する伝送時間間隔（ＴＴＩ）とに基づく、Ｃ１８に記載の装置。
［Ｃ２０］
前記少なくとも１つのプロセッサが、
前記第１の論理チャネルが送信されるべき制御データを有することと、前記時間期間の間に前記第１の論理チャネルに前記アップリンクリソースの少なくとも一部分を割り当てるＱｏＳ義務があることとを識別することと、
前記第１の論理チャネルに前記アップリンクリソースの少なくとも一部分を割り当てることと、
第１の論理チャネルユーザデータと前記第１の論理チャネル制御データとを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
を行うようにさらに構成された、Ｃ１３に記載の装置。
［Ｃ２１］
前記少なくとも１つのプロセッサが、
前記時間期間の間に前記第１の論理チャネルにアップリンクリソースを割り当てるＱｏＳ義務なしに送信されるべき制御データを前記第１の論理チャネルが有することを識別することと、
前記第１の論理チャネルに前記アップリンクリソースの少なくとも一部分を割り当てることと、
前記第１の論理チャネル制御データを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
を行うようにさらに構成された、Ｃ１４に記載の装置。
［Ｃ２２］
制御データが、ｅＮＢから受信したデータに対応する無線リンク制御（ＲＬＣ）データを備える、Ｃ１３に記載の装置。
［Ｃ２３］
ロングタームエボリューション（ＬＴＥ）ワイヤレス通信ネットワーク内のユーザ機器（ＵＥ）による論理チャネル優先順位付けのための装置であって、
時間期間の間に前記ＵＥにおいてアップリンクリソースの割当てを受信するための手段と、
前記ＵＥが、前記時間期間の間に第１の論理チャネルに前記アップリンクリソースの少なくとも一部分を割り当てるサービス品質（ＱｏＳ）義務を有するかどうかを識別するための手段と、
前記第１の論理チャネルが、前記時間期間の間に、前記ＵＥから送信されるべき制御データを有するかどうかを識別するための手段と、
前記ＵＥが、前記時間期間の間に前記第１の論理チャネルに前記アップリンクリソースの少なくとも一部分を割り当てるＱｏＳ義務を有するかどうか、または
前記第１の論理チャネルが、前記ＵＥから送信されるべき制御データを有するかどうか
のうちの少なくとも１つに基づいて、前記第１の論理チャネルに前記アップリンクリソースの少なくとも一部分を割り当てるための手段と
を備える、装置。
［Ｃ２４］
前記第１の論理チャネルに前記アップリンクリソースの少なくとも一部分を割り当てるための手段が、前記時間期間の間にＱｏＳ義務の前記識別なしに、送信されるべき制御データの前記識別があるとき、前記第１の論理チャネルに前記アップリンクリソースの少なくとも一部分を割り当てるための手段を含む、Ｃ２３に記載の装置。
［Ｃ２５］
前記第１の論理チャネルに前記アップリンクリソースを割り当てるＱｏＳ義務を前記ＵＥが有するかどうかを前記識別することが、前記第１の論理チャネルに関係する前記ＱｏＳ義務が満たされたことを識別する前記第１の論理チャネルのために確立された変数のステータスに基づく、Ｃ２３に記載の装置。
［Ｃ２６］
前記変数が、前記第１の論理チャネルの優先ビットレート（ＰＢＲ）と、前記時間期間に関連する伝送時間間隔（ＴＴＩ）とに基づく、Ｃ２５に記載の装置。
［Ｃ２７］
前記第１の論理チャネルが送信されるべき制御データを有することと、前記時間期間の間に前記第１の論理チャネルに前記アップリンクリソースの少なくとも一部分を割り当てるＱｏＳ義務があることとを識別するための手段と、
前記第１の論理チャネルに前記アップリンクリソースの少なくとも一部分を割り当てるための手段と、
第１の論理チャネルユーザデータと前記第１の論理チャネル制御データとを含む少なくとも１つのプロトコルデータユニット（ＰＤＵ）を形成するための手段と、
前記時間期間中に前記第１の論理チャネルに割り当てられた前記アップリンクリソースを使用して前記少なくとも１つのＰＤＵを送信するための手段と
をさらに備える、Ｃ２３に記載の装置。
［Ｃ２８］
前記時間期間の間に前記第１の論理チャネルにアップリンクリソースを割り当てるＱｏＳ義務なしに、前記第１の論理チャネルが送信されるべき制御データを有することを識別するための手段と、
前記第１の論理チャネルに前記アップリンクリソースの少なくとも一部分を割り当てるための手段と、
前記第１の論理チャネル制御データを含む少なくとも１つのプロトコルデータユニット（ＰＤＵ）を形成するための手段と、
前記時間期間中に前記第１の論理チャネルに割り当てられた前記アップリンクリソースを使用して前記少なくとも１つのＰＤＵを送信するための手段と
をさらに備える、Ｃ２４に記載の装置。
［Ｃ２９］
ロングタームエボリューション（ＬＴＥ）ワイヤレス通信ネットワーク内のユーザ機器（ＵＥ）によるワイヤレス通信のためのコンピュータプログラム製品であって、
時間期間の間に前記ＵＥにおいてアップリンクリソースの割当てを受信することと、
前記ＵＥが、前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが、前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を行うためのコードを備えるコンピュータ可読媒体
を備える、コンピュータプログラム製品。
［Ｃ３０］
前記第１の論理チャネルに前記アップリンクリソースの少なくとも一部分を割り当てるための前記コードが、前記時間期間の間にＱｏＳ義務の前記識別なしに、送信されるべき制御データの前記識別があるとき、前記第１の論理チャネルに前記アップリンクリソースの少なくとも一部分を割り当てるためのコードを含む、Ｃ２９に記載のコンピュータプログラム製品。